(57)【要約】【課題】  ミシン目が施された連続用紙を用いても画像欠陥が生じることの防止された印刷装置を提供することを目的とする。【解決手段】  感光体ドラム３上に画像情報に基づく静電潜像を形成し、その静電潜像をトナーで現像してトナー像を形成し、そのトナー像を、転写器８の作用により、順方向にミシン目が施された連続用紙１に転写して連続用紙１上のトナー像を定着することにより、連続用紙１上に定着トナー像からなる印刷画像を形成する印刷装置において、転写器８が、感光体ドラム３に隣接した位置に配備され、転写電流の供給を受けて感光体ドラム３上のトナー像を連続用紙１に転写するものであって、転写器８の作用が連続用紙１に形成されたミシン目１ａに及ぶタイミングでは転写器８に供給される転写電流を遮断するよう制御する制御部１１を備えた。【選択図】        図１
2005107124.tif 000002
【特許請求の範囲】
【請求項１】
所定の方向に回転する感光体上に画像情報に基づく静電潜像を形成し、該静電潜像をトナーで現像してトナー像を形成し、該トナー像を、転写器の作用により、順方向にミシン目が施された連続用紙に転写して該連続用紙上のトナー像を定着することにより、該連続用紙上に定着トナー像からなる印刷画像を形成する印刷装置において、
前記転写器が、前記感光体に隣接した位置に配備され、転写電流の供給を受けて前記感光体上のトナー像を前記連続用紙に転写するものであって、
前記転写器の作用が前記連続用紙に形成されたミシン目に及ぶタイミングでは該転写器に供給される転写電流を遮断するよう制御する制御部を備えたことを特徴とする印刷装置。
【発明の詳細な説明】
【技術分野】
【０００１】
本発明は、ミシン目が形成された連続用紙を用いて印刷を行う電子写真方式の印刷装置に関する。
【背景技術】
【０００２】
従来、電子写真方式の印刷装置として、用紙の順方向に折り畳み用のミシン目が形成された連続用紙を用いる印刷装置が知られている。このタイプの印刷装置では、連続用紙のミシン目の部分に印刷画像を形成する際、ミシン目付近が転写器の位置に到達し時に連続用紙のミシン目が山折り状又は谷折り状になっているため、連続用紙が感光体ドラムに完全には吸着されず感光体ドラムと連続用紙との間に隙間が生じ、トナー像の転写が正常に行われないという問題がある。
【０００３】
上記問題の解決策として、次のような印刷装置が開示されている。すなわち、感光体ドラムにレーザ光を照射して静電潜像を形成し、その静電潜像をトナーで現像してトナー像を形成し、そのトナー像を転写器で連続用紙に転写する印刷装置において、連続用紙のサイズを検出するサイズ検出手段と、転写器に供給する転写電圧を変更する電圧変更手段とが設けられている。
【０００４】
このように構成したことにより、上記サイズ検出手段が検出した連続用紙のサイズに応じて、連続用紙のミシン目付近が転写器の位置に到達しことを検知して上記電圧変更手段により転写電圧を変更することにより、感光体ドラムと連続用紙との隙間が変化しても、これに対応する転写電圧により正常な転写を行うというものである。（例えば、特許文献１参照）。
【特許文献１】特開平０７−２６１５７５号公報（第１−３頁、図１）
【発明の開示】
【発明が解決しようとする課題】
【０００５】
しかし、上記特許文献１の印刷装置では、連続用紙のミシン目部分が転写位置に到達した時に、ミシン目部分に、ミシン目以外の部分への転写電圧よりも低い転写電圧が印加されるにしても、ある一定の強さの転写電流は流れているため、次に示すように画像欠陥を発生することがある。
【０００６】
図３は、従来の印刷装置における画像欠陥発生の説明図である。
【０００７】
図３に示すように、矢印Ｂ方向に搬送される連続用紙１のミシン目１ａが、矢印Ａ方向に回転する感光体ドラム３と、転写器８とのニップ部に到達した時に、転写器８からの転写電流が連続用紙１のミシン目１ａの孔を通って感光体ドラム３上にリークし、感光体ドラム３上にミシン目状の静電潜像１４が形成される。
【０００８】
この静電潜像１４はプラス電位による潜像であるため、除電プロセス、帯電プロセスを経ても感光体ドラム３から消去されずに現像されてしまい、感光体ドラム３上にミシン目状のトナー像が形成される。このトナー像は、連続用紙の次のページに虚像として現れ、画像欠陥となる。
【０００９】
本発明は上記事情に鑑み、ミシン目が施された連続用紙を用いても画像欠陥が生じることの防止された印刷装置を提供することを目的とする。
【課題を解決するための手段】
【００１０】
上記目的を達成する本発明の印刷装置は、
所定の方向に回転する感光体上に画像情報に基づく静電潜像を形成し、該静電潜像をトナーで現像してトナー像を形成し、該トナー像を、転写器の作用により、順方向にミシン目が施された連続用紙に転写して該連続用紙上のトナー像を定着することにより、該連続用紙上に定着トナー像からなる印刷画像を形成する印刷装置において、
上記転写器が、上記感光体に隣接した位置に配備され、転写電流の供給を受けて上記感光体上のトナー像を上記連続用紙に転写するものであって、
上記転写器の作用が上記連続用紙に形成されたミシン目に及ぶタイミングでは該転写器に供給される転写電流を遮断するよう制御する制御部を備えたことを特徴とする。
【００１１】
本発明の印刷装置によれば、連続用紙に形成されたミシン目付近では転写電流が完全に遮断されるので、連続用紙のミシン目の孔から感光体上への転写電流のリークは皆無となり、虚像に基づく画像欠陥の発生を防止することができる。
【発明の効果】
【００１２】
本発明の印刷装置は、上記の構成としたことにより、ミシン目が施された連続用紙を用いても画像欠陥が生じることの防止された印刷装置を実現することができる。
【発明を実施するための最良の形態】
【００１３】
以下図面を参照して本発明の実施の形態を説明する。
【００１４】
図１は、本実施形態の印刷装置の全体構成を示す概略図である。
【００１５】
図１に示すように、この印刷装置は、矢印Ａ方向に回転する感光体ドラム３、感光体ドラム３を所定の電位に帯電させる帯電器２、帯電された感光体ドラム３表面に、画像情報に基づく露光光４ａを照射して静電潜像を形成する光学ユニット４、感光体ドラム３上に形成された静電潜像をトナーで現像してトナー像を形成する現像器５、感光体ドラム３に隣接した位置に配備され、所定の電源から転写電流の供給を受けて感光体ドラム３上のトナー像を連続用紙１に転写する、コロナ放電方式の転写器８、連続用紙１を矢印Ｂ方向に搬送するトラクタ７、トナー像が転写された後の感光体ドラム３上に残留するトナーを除去するクリーナ９、残留トナーを除去した後の感光体ドラム３を除電する除電器１０、転写器８に供給される転写電流を制御する制御部１１、オペレータがこの印刷装置の操作を行うためのオペレータパネル１２、連続用紙１上に転写されたトナー像を定着する定着器１６などを備えている。
【００１６】
ここで、上記制御部１１は、転写器８の作用が連続用紙１に形成されたミシン目に及ぶタイミングでは転写器８に供給される転写電流を遮断するよう制御を行う。
【００１７】
次に、本実施形態の印刷装置の動作について説明する。
【００１８】
図１において、オペレータは、この印刷装置に連続用紙１をセットした後、オペレータパネル１２の用紙送りボタン（図示せず）を押下し、連続用紙１を矢印Ｂ方向に送りながら折り畳み用のミシン目１ａをミシン目合わせ位置１３に合わせる。
【００１９】
次に、オペレータがオペレータパネル１２を操作して用紙長を入力することにより、用紙長の情報が制御部１１に入力される。なお、用紙長情報はコンピュータなど他の上位システムから入力されるようにしてもよい。
【００２０】
次に、制御部１１により、次のミシン目が印刷開始位置１５に到達するまで連続用紙１を送るようトラクタ７に命令が与えられ、連続用紙１のミシン目１ａが印刷開始位置１５に到達してから印刷が開始される。
【００２１】
図２は、本実施形態の印刷装置における転写電流印加のタイムチャートである。
【００２２】
本実施形態の印刷装置に用いられる連続用紙１としては、図２に示すように、搬送方向Ｂに等間隔に穿設された用紙送り孔１ｂを有するものが用いられる。この用紙送り孔１ｂは、連続用紙１の幅方向の両側に形成されており、トラクタ７に設けられている牽引搬送用のツメをこの用紙送り孔１ｂに噛み合わせて正確な搬送を行うようになっている。
【００２３】
この印刷装置では、制御部１１（図１参照）は、転写器８の作用が連続用紙１に形成されたミシン目１ａに及ぶタイミングでは転写器８に供給される転写電流を遮断するよう制御する。
【００２４】
すなわち、制御部１１は、予め設定されたミシン目１ａ前後の印刷範囲外領域が転写器８を通過する際には転写器８への転写電流を遮断し、印刷範囲外領域を過ぎて印刷範囲に入るとともに再び転写器８への転写電流を印加するように制御する。
【００２５】
このようにすることにより、本実施形態の印刷装置では、転写器８の作用が連続用紙１に形成されたミシン目１ａに及ぶタイミングでは転写器８に供給される転写電流が完全に遮断されるので、ミシン目１ａの孔から転写電流がリークすることによる印字不良を防止することができる。
【００２６】
なお、このように構成した印刷装置では、連続用紙のミシン目近傍への印刷を行うことはできないが、ミシン目に印刷を行うと、定着後、連続用紙を折り畳む過程においてジャムが発生することがあるため、特殊な用途を除いて、通常、ミシン目の前後数ミリは印刷不可領域としており、実用上問題とはならない。
【図面の簡単な説明】
【００２７】
【図１】本実施形態の印刷装置の全体構成を示す概略図である。
【図２】本実施形態の印刷装置における転写電流印加のタイムチャートである。
【図３】従来の印刷装置における画像欠陥発生の説明図である。
【符号の説明】
【００２８】
１    連続用紙
１ａ    ミシン目
１ｂ    用紙送り孔
２    帯電器
３    感光体ドラム
４    光学ユニット
４ａ    露光光
５    現像器
６    トナー
７    トラクタ
８    転写器
９    クリーナ
１０    除電器
１１    制御部
１２    オペレータパネル
１３    ミシン目合わせ位置
１４    静電潜像
１５    印刷開始位置
１６    定着器
【図１】
2005107124.tif 000003
【図２】
2005107124.tif 000004
【図３】
2005107124.tif 000005